(57)【要約】【課題】本発明は、寝た状態又はこれに近い姿勢、あるいは車椅子で排尿便する場合に、排泄部に当接して排泄物を吸引排出すると共に排泄部を洗浄し、排泄物及び洗浄廃液を回収する吸引洗浄受便装置に関する。【解決手段】排泄部に当接する受便器本体１と、該受便器本体から排泄物を吸引排出する吸引機構４と、排泄部を洗浄するために洗浄液Ｗを供給する洗浄液供給機構６とを備え、受便器本体１は、略吸盤状をなし排泄部の周辺に密着する外形形状を有する当接部２と、洗浄液を供給する給液口７と、該給液口から供給される洗浄液を受便器本体内の受便部８に噴流させる排出用流路９と、洗浄液を排泄部方向に噴流させる洗浄用流路１０と、排出用流路と洗浄用流路を切り換える切換え部１１と、当接部を排泄部周辺に吸引密着させ、内部を減圧すると共に排泄物、洗い流し液及び洗浄済液を吸引排出する排出口１２とを備えている。【選択図】　　　図１
2004105506.tif 000002
【特許請求の範囲】
【請求項１】
排泄部を含む部位に当接する受便器本体と、該受便器本体からホースを介して排泄物を吸引排出する吸引機構と、排泄部を洗浄するために前記受便器本体に供給ホースを介して接続され、水、温水その他の洗浄液を供給する洗浄液供給機構とを備えた吸引洗浄受便装置であって、前記受便器本体は、略吸盤状をなしていて当接開口縁が排泄部の周辺に密着する外形形状を有する当接部と、前記洗浄液を受便器本体内に供給する給液口と、該給液口から供給される洗浄液を受便器本体の内底部の便受部に噴流させる排出用流路と、前記洗浄液を排泄部方向に噴流させる洗浄用流路と、前記排出用流路と洗浄用流路を切り換える切換え部と、当接部を排泄部周辺に吸着させるように内部を減圧すると共に便受部に排出された排泄物、洗い流し液及び洗浄済液を吸引排出するための排出口とを備えていることを特徴とする吸引洗浄受便装置。
【請求項２】
受便器本体に減圧自動調整弁を備えた空気吸入部が設けられると共に該空気吸入部から便受部の近傍に空気導入路が設けられ、排泄物の吸引排出に際して排出用流路から噴流する洗い流し液とともに空気を噴出させて排泄物を排出口側に押しやるように構成されていることを特徴とする請求項１に記載の吸引洗浄受便装置。
【請求項３】
受便器本体は、上部構成受便部と下部構成受便部とにより形成され、上部構成受便部と下部構成受便部とは上部構成受便部の下縁と下部構成受便部の上縁との重合部分における左右両側部分を枢着軸により枢着するとともに前記上部構成受便部と下部構成受便部との背面を締付調節ねじによりねじ止めしたことを特徴とした請求項１又は２に記載の吸引洗浄受便装置。
【請求項４】
受便器本体には当接部を排泄部周辺に当接させて保持するアームハンドルが取り付けられ、該アームハンドルの先端には排出用流路と洗浄用流路の切換え部の切換え操作スイッチ及び吸引機構の操作スイッチが設けられていることを特徴とする請求項１〜３の何れかに記載の吸引洗浄受便装置。
【請求項５】
便受部の表面には排出口方向に向かう多数の突条が形成されていることを特徴とする請求項１〜４の何れかに記載の吸引洗浄受便装置。
【請求項６】
排泄部を含む部位に当接する受便器本体と、該受便器本体からホースを介して排泄物を吸引排出する吸引機構と、排泄部を洗浄するために前記受便器本体に水、温水その他の洗浄液を供給する洗浄液供給機構とを備えた吸引洗浄受便装置であって、吸引機構は、前記受便器本体にホースを介して接続された密閉開閉蓋を有する汚物タンクと該汚物タンク内を減圧する吸引パイプとを備え、該吸引パイプによって吸引される汚物タンク内の空気を洗浄液供給機構における給液タンク内の液中に気泡状に流出させて臭気を減殺し、給液タンクに形成した排気口から排気するように構成したことを特徴とする吸引洗浄受便装置。
【請求項７】
受便器本体の受便部に便等の排泄物の有無を検知可能なセンサーを設け、該センサーからの検知信号により吸引機構の吸引モータを駆動可能に設けるとともに給液タンク内のポンプを駆動し、洗浄水を給水可能としたことを特徴とする請求項１〜６の何れかに記載の吸引洗浄受便装置。
【発明の詳細な説明】
【０００１】
【発明の属する技術分野】
本発明は、寝た状態又はこれに近い姿勢、あるいは車椅子で排尿便する場合に、排泄部に当接して排泄物を回収する吸引洗浄受便装置に係り、特に排泄物を自動的に検出し、洗浄液を自動的に給水して吸引排出すると共に排泄部を洗浄し、排泄物及び洗浄廃液を回収することが可能な吸引洗浄受便装置に関する。
【０００２】
【従来の技術】
寝た状態又はこれに近い姿勢、あるいは車椅子で排尿便する場合に、おむつ形式やオープン型の便器では周囲への臭気の飛散を気兼ねして排泄を我慢してしまう傾向にある。このような場合に、従来、受便本体部を排泄部に密着当接して排泄物を吸引回収し、しかも排泄部を洗浄する密閉型の吸引洗浄受便装置がある（例えば、特許文献１参照。）。
また、密閉型の吸引洗浄受便装置の他の従来例として、パンツ状の下着に装着されるものがある（例えば、特許文献２参照。）。
また、本発明者は、先に、排泄後の排部を洗浄する人体洗浄装置を提案している（例えば、特許文献３参照。）。
さらに、本発明者は、同様に自力排便が困難な場合の吸引洗浄摘便装置を既に提案している（例えば、特許文献４参照。）。
【０００３】
【特許文献１】
特開平６−５４８７４号公報（第３−５頁、図１、図５）
【特許文献２】
特開２００２−１１０３０号公報（第２−４頁、図１）
【特許文献３】
特開平２０００−２２５１６９号公報（第１−３頁、図１、図３）
【特許文献４】
特願２００２−１２７１０号明細書及び図面
【０００４】
上記特許文献１に記載の従来のこの種の吸引受便装置は、紐で身体に装着されるパンティー布に８の字状に形成された押圧チューブが取り付けられていて、該押圧チューブ内に空気を供給することにより膨張させて身体に密着させるようにし、該押圧チューブに形成された排出装置取付孔部には排泄物を破砕するモーターファンと水検知センサーとを備えた排出装置を取り付けて装着部が構成されている。装着部内の排泄物はモーターファンによって破砕され、水と混合されて吸引モーターで吸入して回収タンクへ回収される。排泄部には水が噴出して洗浄され、その後空気が吹き付けられて乾燥されるようになっている。
【０００５】
また、特許文献２に記載の吸引受便装置は、パンツ状の下着に取り付けられる大便用及び小便用のカップは、排泄部及びその周囲に水流を当てる洗浄ノズルを具備し、該カップに、外容器と該外容器内の空気を吸引するポンプが接続され、吸引空気の流路に消臭フィルター層を有する蓋と、外容器内に着脱可能に保持され、一端がファスナーによって開閉可能にシールされた通気性フィルム製の内容器と、該内容器内に収容され、外容器及び内容器を通じてカップに接続される排泄物パックとからなる回収タンクを具備する回収機構を設けて、排泄物を排泄物パック内に吸引するようにしたものである。
【０００６】
【発明が解決しようとする課題】
しかしながら、特許文献１に記載の上記従来の吸引洗浄受便装置にあっては、使用に際してその都度紐により装着部を身体に装着しなければならないから、頗る面倒であるばかりでなく、装置全体が極めて複雑な構成及び制御になっており、個人差により、あるいはそのときの状況によって大きく異なる排便状況に充分対応できないおそれがある。
【０００７】
一方、特許文献２に記載の上記従来の吸引洗浄受便装置においても、カップはパンツ状の下着に装着する形式であり、特許文献１の従来のものと同様、使用の都度パンツ状の下着を装着しなければならないから、装着が面倒であるばかりでなく、人体への密着性に欠けるおそれがある。
【０００８】
また、特許文献１に記載の吸引洗浄受便装置および引用文献２に記載の吸引洗浄受便装置においては、受便部をパンティー布又はパンツ状の下着に装着する、という発想に基づくものであるが、前述のように、実際の排便状況は量的にも質的にも、個人差あるいはそのときの状況により大きく異なるから、従来の前記提案に係るものでは、これらの排便状況に充分に対応することができないおそれがある。
【０００９】
また、本発明者は、先に、提案した特許文献３に記載の排泄後の排部を洗浄する吸引洗浄摘便装置、また、特許文献４に記載の吸引洗浄摘便装置は、自力排便が困難な場合に、装着部の排泄部周辺への装着性を容易にするために装着部の当接部を吸盤状に形成し、該当接部の内部を減圧して吸着させる構成のものである。
【００１０】
しかも、特許文献３に記載の上記従来の吸引洗浄摘便装置、また、特許文献４に記載の上記従来の吸引洗浄摘便装置は、種々実験の結果、排泄物の吸引排出のためには相当の吸引力を要し、また、排泄物の量的、質的な性状によっては単に排泄物だけを直接吸引したのみでは確実に吸引排出されないことが判明した。一方、排泄物の吸引排出のために装着部の内部を強力に吸引すると、排部周辺の皮肉が当接部内に吸引されて苦痛を伴うことも判明した。
【００１１】
したがって、寝た状態又はこれに近い姿勢、あるいは車椅子で排便する場合の介護者の負担を軽減する意味からも、受便器本体を容易かつ確実に装着するとともに排泄物を確実に吸引排出し、しかも排泄部を確実に洗浄できる実用的な吸引排出受便装置が望まれている。
【００１２】
本発明の目的は前記のような従来のものの欠点を解消し、受便器本体の装着が容易であり、かつ密閉性を確保することができて臭気が飛散することはなく、排泄物を確実に吸引排出でき、しかも排泄部を確実に洗浄できる吸引排出受便装置を提供することにある。
【００１３】
【課題を解決するための手段】
本発明の吸引洗浄受便装置は、請求項１のものにおいては、排泄部を含む部位に当接する受便器本体と、該受便器本体からホースを介して排泄物を吸引排出する吸引機構と、排泄部を洗浄するために前記受便器本体に供給ホースを介して接続され、水、温水その他の洗浄液を供給する洗浄液供給機構とを備えた吸引洗浄受便装置であって、前記受便器本体は、略吸盤状をなしていて当接開口縁が排泄部の周辺に密着する外形形状を有する当接部と、前記洗浄液を受便器本体内に供給する給液口と、該給液口から供給される洗浄液を受便器本体内底部の便受部に噴流させる排出用流路と、前記洗浄液を排泄部方向に噴流させる洗浄用流路と、前記排出用流路と洗浄用流路を切り換える切換え部と、当接部を排泄部周辺に吸引密着させるように内部を減圧すると共に便受部に排出された排泄物、洗い流し液及び洗浄済液を吸引排出するための排出口とを備えていることを特徴とする。
【００１４】
受便器本体を排泄部を含む部位に当接し、吸引機構を動作させて受便器本体を吸着させた状態で吸引器孔を一旦停止し、排便する。排泄物の吸引排出に際しては給液口からの洗浄液の流路を排出用流路に切り換えて吸引機構を駆動させることにより、洗浄液が洗い流し液となって受便部の排泄物を排出口から吸引排出することができる。排泄部の洗浄に際しては、給液口からの洗浄液の流路を洗浄用流路に切り換えることにより排泄部が洗浄され、洗浄済液は排出口から吸引排出される。
【００１５】
請求項２に記載のものは、請求項１に記載の吸引洗浄受便装置において、受便器本体に減圧自動調整弁を備えた空気吸入部が設けられると共に該空気吸入部から便受部の近傍に空気導入路が設けられ、排泄物の吸引排出に際して排出用流路から噴流する洗い流し液とともに空気を噴出させて排泄物を排出口側に押しやるように構成されていることを特徴とする。
【００１６】
受便器本体に減圧自動調整弁を備えた空気吸入部が設けられると共に該空気吸入部から便受部の近傍に空気導入路が設けられているから、受便器本体の装着に際して吸引機構を駆動させた際に適度な吸着力で装着することができ、また、排泄物の吸引排出に際しては、排出用流路から噴流する洗い流し液とともに空気を受便部に噴出させて排泄物を排出口側に押しやり、確実に吸引排出することができる。
【００１７】
請求項３に記載のものは、請求項１又は２において受便器本体は、上部構成受便部と下部構成受便部とにより形成され、上部構成受便部と下部構成受便部とは上部構成受便部の下縁と下部構成受便部の上縁との重合部分における左右両側部分を枢着軸により枢着するとともに前記上部構成受便部と下部構成受便部との背面を締付調節ねじによりねじ止めしたことを特徴とした。
【００１８】
受便器本体は、下部構成受便部に対して上部構成受便部を枢着軸を中心に前後方向に移動することにより人体の大きさに合わせて調整を行う。
【００１９】
請求項４に記載のものは、請求項１〜３に記載の吸引洗浄受便装置において、受便器本体には当接部を排泄部周辺に当接させて保持するアームハンドルが取り付けられ、該アームハンドルの先端には排出用流路と洗浄流路の切換え部の切換え操作スイッチ及び吸引機構の操作スイッチが設けられていることを特徴とする。
【００２０】
これにより、ハンドルアームを握って受便器本体を所定の部位に押し当てることができて操作が容易であり、また、排出用流路と洗浄用流路の切換え部の切換え操作及び吸引機構の操作をアームハンドルに設けた操作スイッチで行うことができる。
【００２１】
請求項５に記載のものは、請求項１〜４に記載の吸引洗浄受便装置において、便受部の表面には排出口方向に向かう多数の突条が形成されていることを特徴とする。
【００２２】
受便部の表面には排出口方向に向かう多数の突条が形成されているから、該受便部上の排泄物を洗い流し液等により排出口側により確実に流すことができる。
【００２３】
請求項６に記載のものは、排泄部を含む部位に当接する受便器本体と、該受便器本体からホースを介して排泄物を吸引排出する吸引機構と、排泄部を洗浄するために前記受便器本体に水、温水その他の洗浄液を供給する洗浄液供給機構とを備えた吸引洗浄受便装置であって、吸引機構は、前記受便器本体にホースを介して接続された密閉開閉蓋を有する汚物タンクと該汚物タンク内を減圧する吸引パイプとを備え、該吸引パイプによって吸引される汚物タンク内の空気を洗浄液供給機構における給液タンク内の液中に気泡状に流出させて臭気を減殺し、給液タンクに形成した排気口から排気するように構成したことを特徴とする。
【００２４】
受便器本体はホースを介して密閉開閉蓋を有する汚物タンクに接続され、吸引パイプを介して汚物タンク内を減圧することより受便器本体から排泄物を吸引排出するようになっているから、吸引排出された排泄物は汚物タンク内に投入されるとともに、タンク内上部に接続されている吸引パイプからは臭気を伴った空気が吸引されるが、この空気を洗浄液供給機構における給液タンク内の液中に気泡状に流出させて臭気を減殺し、給液タンクに形成した排気口から排気するようにしたから、周辺への臭気の発散を少なくすることができる。
【００２５】
請求項７に記載の発明は、請求項１〜６の何れかの吸引洗浄受便装置において、受便器本体の受便部に便等の排泄物の有無を検知可能なセンサーを設け、該センサーからの検知信号により吸引機構の吸引モータを駆動可能に設けるとともに給液タンク内のポンプを駆動し、洗浄水を給水可能としたことを特徴とする。
【００２６】
受便器本体の受便部に便等の排泄物の有無をセンサーにより検知可能に設け、該センサーからの検知信号により吸引機構の吸引モータを駆動させて給液タンク内のポンプを駆動し、洗浄水を自動的に給水する。
【００２７】
【発明の実施の形態】
本発明の吸引洗浄受便装置の実施形態を図１〜図９に基づいて説明する。
図１は吸引洗浄受便装置の受便器本体の全体構成を示す断面図、図２は正面図、図３は図２のＢ−Ｂ断面図、図４は図３のＣ−Ｃ拡大断面図、図５は本実施形態で使用する空気導入路の空気吸入部において外気を吸入するのに使用する減圧自動調整弁の断面図、図６は本実施形態を形成する吸引機構と洗浄液供給機構との一例を示す正面図、図７は同じく平面図、図８は同じく側面図、図９は本実施形態の使用状態を示す斜視図である。
【００２８】
図１において、Ｕは吸引洗浄受便装置である。１は受便器本体であって、この受便器本体１は排泄部を含む部位に当接するためのものであり、耐水性がある剛性材、好ましくは透明な合成樹脂により上部構成受便部１Ａと下部構成受便部１Ｂを組付けることにより形成され、当接部２が略吸盤状をなしていて、当接開口縁が人体Ｈの洗浄すべき部位の周辺に密着する外形形状を備えている。また、受便器本体１からはホース３を介して排泄物を吸引排出する吸引機構４と、排泄物を洗浄するために前記受便器本体１に供給ホ−ス５を介して接続され、水、温水、その他の洗浄液Ｗを供給する洗浄液供給機構６とを備えている。
前記上部構成受便部１Ａと下部構成受便部１Ｂとは、上部構成受便部１Ａの下縁と下部構成受便部１Ａの上縁との重合部分における左右両側部分を枢着軸Ｄ，Ｄにより枢着するとともに上部構成受便部１Ａと下部構成受便部１Ｂとの背面中央に締付調節ねじＮをスリット１ｂを介してねじ止めすることにより人体Ｈに合わせて下部構成受便部１Ｂに対して上部構成受便部１Ａの取付位置を枢着軸Ｄ，Ｄを中心に前方または後方に移動して人体Ｈに合わせて調整するようにしている。
【００２９】
また、受便器本体１には前記洗浄液Ｗを受便器本体１内に供給する給液口７と、該給液口７から供給される洗浄液Ｗを受便器本体１の内底部の便受部８に噴流させる排出用流路９と、前記洗浄液Ｗを排泄部方向に噴流させる洗浄用流路１０と、前記排出用流路９と洗浄用流路１０を切り換える切換え部１１と、当接部２を排泄部周辺に吸着させるように内部を減圧するとともに便受部８に排泄された排泄物、洗い流し液Ｗ１及び洗浄済液Ｗ２を吸引排出するための排出口１２を備えている。
【００３０】
１４は受便器本体１の外側（図３では左右側面）に設けられた空気吸入部であり、この空気吸入部１４は図４に示すような減圧自動調整弁１５が備えられ、空気吸入部１４から受便部８の近傍に空気導入路１６が設けられ、排泄物の吸引排出に際して排出用流路９から噴流する洗い流し液Ｗ１とともに空気Ｋを噴出させて排泄物を排出口１２側に押しやるように構成されている。
また、前記空気吸入部１４は、吸引機構４の排出口１２からの吸引により受便器本体１内が過度に減圧されるのを防止し、当接部２が人体部位に食い込んだり皮膚が受便器本体１内に引き込まれるのを防止することにもなる。
【００３１】
前記切換え部１１は、後記アームハンドル１７の切換え操作スイッチＳＷ１を操作することにより励磁されるプランジャー１１ａの磁気的吸引作用により矢印Ｆ方向に往復移動するプランジャー・ロッド１１ｂと、該プランジャー・ロッド１１ｂの一端に枢着され、支点Ｑにより他端側が起伏されるアーム１１ｃと、該アーム１１ｃの先端側の一端に一端部が取付られ、他端部が給液口７の通路Ｔを開閉可能に設けられた流水方向切換板１１ｄとから形成される。そして、アームハンドル１７の切換え操作スイッチＳＷ１を操作することによりプランジャー１１ａを励磁し、その磁気的吸引作用により矢印Ｆ方向にプランジャー・ロッド１１ｂを往復移動させ、プランジャー・ロッド１１ｂの一端に一端部が取付られている流水方向切換板１１ｄにて給液口７の通路Ｔを開閉することにより洗浄液Ｗを排出用流路９と洗浄用流路１０を切り換えて噴出するようになっている。
流水方向切換板１１ｄには給液口７に合致して通路Ｔを開閉するための孔が設けられている。
【００３２】
前記減圧自動調整弁１５は、例えば図５に示すように前記空気吸入部１４を有する弁箱１５ａと、該弁箱１５ａ内に介装されたコイルばね１５ｂと、該コイルばね１５ｂの付勢力を常時閉方向に付勢されるような弁体１５ｃとにより形成され、排泄物の吸引排出に際し吸引機構４の排出口１２からの吸引により受便器本体１内が所定圧以上に減圧される場合に、コイルばね１５ｂの付勢力に抗して開方向に移動し、外気を空気吸入部１４から導入することにより排出用流路９から噴流する洗い流し液Ｗ１とともに空気Ｋを噴出させて排泄物を排出口１２側に押しやるほか、当接部２が人体部位に食い込んだり、皮膚が受便器本体１内に引き込まれるのを防止する（図４参照）。
【００３３】
１７は受便器本体１に取付けられたアームハンドルであり、このアームハンドル１７は当接部２を排泄部周辺に当接させて保持するためのものであり、先端には排出用流路９と洗浄用流路１０の切換え部１１の切換え操作スイッチＳＷ１および吸引機構４の操作スイッチＳＷ２が設けられている。
【００３４】
１８は受便器本体１の受便部８の表面に排出口１２の方向に向かって形成された多数の突条であり、この突条１８は排泄物に対する摩擦を軽減して付着性をなくすことにより排出口１２から排出物を排出し易くするものである。
【００３５】
前記吸引機構４は、前記受便器本体１にホース３を介して接続された密閉開閉蓋２０を有する汚物タンク２１と、該汚物タンク２１内を減圧するために吸引モータＭに接続された吸引パイプ２２とを備えている。そして、該吸引パイプ２２によって吸引される汚物タンク２１内の空気Ｋ１を洗浄液供給機構６における給液タンク２３内の洗浄液Ｗの液中にパイプＰを介して気泡状に流出させて臭気を減殺し、給液タンク２３に形成した排気口から排気するように構成した。Ｆは汚物タンク２１内に吸引され、貯留される洗い流し液Ｗ１及び洗浄済液Ｗ２に対して浮上し、満杯になると、吸引パイプ２２を塞いで吸引を阻止するためのフロートスィッチである。
【００３６】
また、前記給液口７は洗浄液Ｗを給液するための洗浄液供給機構６に接続される。この洗浄液供給機構６は水、温水その他の洗浄液Ｗを貯留する給液タンク２３と、洗浄液Ｗを供給するための給液ポンプ２４と、給液ポンプ２４と給液口７とを接続する供給ホース５、内部供給ホース５′とにより形成される。給液タンク２３には、通常の水、或は消毒液を添加した水、温水等の洗浄液Ｗが投入されるが、例えば、底部に加温又は保温のための熱源を配置しておくように構成してもよい。供給ホース５と内部供給ホース５′とは、例えばビニール、ゴムなどの可撓性を有する可撓管が最適である。
【００３７】
前記吸引機構４で受便器本体１内を減圧することにより当接部２が人体Ｈの排泄部の周辺に吸着されると共に受便器本体１内に排出された排泄物を吸引排出する。これと同時に給液タンク２３から洗浄液Ｗを吸引して給液口７から噴出させ、局部を洗浄すると共に受便器本体１内の洗浄済液Ｗ２を吸引排出する。また、図５に示すように給液ポンプ２４と給液口７とを接続する供給ホース５の管端に設けた給液ポンプ２４を駆動させることにより給液タンク２３内の洗浄液Ｗを吸引して給液口７から噴出させることもできる。
【００３８】
また、汚物タンク２１内の空気Ｋ１は、洗浄液供給機構６における給液タンク２３内の洗浄液Ｗの液中に吸引パイプ２２によって吸引されて気泡状に流出されるので、臭気は減殺され、給液タンク２３に形成した排気口から排気される。
【００３９】
前記のような構成において、吸引洗浄受便装置Ｕにおいては、給液タンク２３、汚物タンク２１及び吸引モータＭは収納ボックス（図示しない）に収納し、キャスターローラーを備えて移動可能に各病床を移動できるように構成すれば便利である。
【００４０】
Ｓは受便器本体１の受便部８に設けたセンサーであり、このセンサーＳは受便器本体１の使用時に受便部８に排泄された大便による排泄物を検知するためのものであり、例えば光センサが使用される。また、受便器本体１の受便部８には図には示さないが排尿を検知するためのセンサーを設けて排尿が有ったことを検知するようにしてもよい。
【００４１】
本発明の一実施形態は以上の構成からなり、例えば寝たきり老人のように寝た状態、または脊髄損傷、下半身麻痺、足の怪我をした等のように車椅子によらなければ動けないで自力で排便が不能な患者等の摘便をなすには、患者等が自ら、又は介護者の助けにより受便器本体１の略吸盤状の当接部２を人体Ｈの排泄部周辺に当接し、人体Ｈへ装着する。この場合、寝た状態の場合には、患者の症状等により図９に示すように患者が仰向けになった状態で受便器本体１を人体Ｈの排泄部周辺に当接する。
【００４２】
この際、受便器本体１は、締付調整ねじＮを緩めて下部構成受便部１Ｂに対して上部構成受便部１Ａを枢着軸Ｄ，Ｄを中心に前後方向に移動することにより当接部２が人体Ｈに適合するように調整を行う。
【００４３】
そして、受便器本体１の当接部２に人体Ｈの排泄部周辺が密着し、アームハンドル１７の操作スイッチＳＷ２をオンして吸引機構４を動作させて受便器本体１を吸着させた状態で吸引機構４を一旦停止し、排便する。受便器本体１の受便部８内に排便がなされたことを排泄物をセンサーＳが検知すると、吸引機構４の吸引モータＭが自動的に駆動してホース３を介して受便器本体１内は吸引され、負圧になり、受便部８内に排泄された排泄物は排出口１２からホース３を通じて汚物タンク２１内に吸引される。
【００４４】
そして、排泄物の吸引排出がおこなわれると同時に給液ポンプ２４が駆動し、排出用流路９を通じて給液タンク２３内に貯留されている洗浄液Ｗが洗い流し液Ｗ１として受便部８に噴出される。しかも、受便器本体１には減圧自動調整弁１５を備えた空気吸入部１４が設けられているので、受便器本体１内が吸引機構４の吸引により所定圧以上、吸引されると、減圧自動調整弁１５の弁体１５ｃはコイルばね１５ｂの付勢力に抗して開方向に移動し、外気を空気吸入部１４から導入することにより洗い流し液Ｗ１および排泄物に対して混合されて撹拌が促されることにより排泄物を排出口１２側に強制的に押しやる。
この際、受便器本体１の受便部８の表面には、図２に示すように排出口１２の方向に向かう多数の突条１８が形成されているので、この突条１８により排泄物は摩擦が軽減され、付着性が少なくされるから、排出口１２から排出物は排出し易くなる。
【００４５】
また、吸引機構４の排出口１２からの吸引により受便器本体１内が過度に減圧される場合には、減圧自動調整弁１５のコイルばね１５ｂの付勢力に抗して弁体１５ｃが開いて外気が受便器本体１内に導入されるため、当接部２が人体部位に食い込んだり、皮膚が受便器本体１内に引き込まれるのを防止する。
こうして、受便部８内に排泄された排泄物は排出口１２、ホース３を通じて汚物タンク２１内に吸引されて貯留される。
【００４６】
そして、受便器本体１にはアームハンドル１７が取付られ、このアームハンドル１７の先端には、排出用流路９と洗浄用流路１０の切換え部１１の切換え操作スイッチＳＷ１および吸引機構４の操作スイッチＳＷ２が設けられているので、切換え操作スイッチＳＷ１を押圧すると、プランジャー１１ａが励磁され、その磁気的吸引作用により矢印Ｆ方向にプランジャー・ロッド１１ｂは往復移動されるため、プランジャー・ロッド１１ｂの一端に一端部が取付られている流水方向切換板１１ｄにて給液口７の通路Ｔは閉鎖され、排出用流路９から洗浄用流路１０へと切り換えが行われ、洗浄用流路１０から水、温水、その他の洗浄液Ｗが人体Ｈの排泄部に噴出され、人体Ｈの排泄部周辺の洗浄が行われる。
そして、洗浄済液Ｗ２は、前述のように吸引機構４により汚物タンク２１へと吸引され、貯留が行われる。
【００４７】
また、アームハンドル１７の操作スイッチＳＷ２を操作することにより吸引モータＭを停止し、受便器本体１内部の吸引を停止するとともに、洗浄用流路１０から噴出される洗浄液Ｗによる人体部位の局部の洗浄を停止する。
また、汚物タンク２１内に溜められる排泄物、洗い流し液Ｗ１及び洗浄済液Ｗ２は、トイレ等の所定場所に廃棄される。
【００４８】
また、本実施形態の吸引洗浄受便装置Ｕにおいては、給液タンク２３、汚物タンク２１及び吸引モータＭは収納ボックス（図示しない）に収納され、キャスターローラーを備えているので、各病床を移動できるようになり、便利である。
【００４９】
【発明の効果】
本発明の請求項１に記載の発明によれば、排泄部を含む部位に当接する受便器本体と、該受便器本体からホースを介して排泄物を吸引排出する吸引機構と、排泄部を洗浄するために前記受便器本体に供給ホースを介して接続され、水、温水その他の洗浄液を供給する洗浄液供給機構とを備えた吸引洗浄受便装置であって、前記受便器本体は、略吸盤状をなしていて当接開口縁が排泄部の周辺に密着する外形形状を有する当接部と、前記洗浄液を受便器本体内に供給する給液口と、該給液口から供給される洗浄液を受便器本体内の底部の便受部に噴流させる排出用流路と、前記洗浄液を排泄部方向に噴流させる洗浄用流路と、前記排出用流路と洗浄用流路を切り換える切換え部と、当接部を排泄部周辺に吸引密着させるように内部を減圧すると共に便受部に排出された排泄物、洗い流し液及び洗浄済液を吸引排出するための排出口とを備えていることを特徴とするので、受便器本体を排泄部を含む部位に当接し、吸引機構を動作させて受便器本体を吸着させた状態で吸引機構を一旦停止し、排便する。排泄物の吸引排出に際しては給液口からの洗浄液の流路を排出用流路に切り換えて吸引機構を駆動させることにより、洗浄液が洗い流し液となって受便部の排泄物を排出口から吸引排出することができる。排泄部の洗浄に際しては、給液口からの洗浄液の流路を洗浄用流路に切り換えることにより排泄部が洗浄され、洗浄済液は排出口から吸引排出される。
【００５０】
また、本発明の請求項２に記載の発明は、請求項１に記載の吸引洗浄受便装置において、受便器本体に減圧自動調整弁を備えた空気吸入部が設けられると共に該空気吸入部から便受部の近傍に空気導入路が設けられ、排泄物の吸引排出に際して排出用流路から噴流する洗い流し液とともに空気を噴出させて排泄物を排出口側に押しやるように構成されていることを特徴とするので、受便器本体に減圧自動調整弁を備えた空気吸入部が設けられると共に該空気吸入部から便受部の近傍に空気導入路が設けられているから、受便器本体の装着に際して吸引機構を駆動させた際に適度な吸着力で装着することができ、また、排泄物の吸引排出に際しては、排出用流路から噴流する洗い流し液とともに空気を受便部に噴出させて排泄物を排出口側に押しやり、確実に吸引排出することができる。
【００５１】
本発明の請求項３に記載の発明は、請求項１又は２の吸引洗浄受便装置において、受便器本体は、上部構成受便部と下部構成受便部とにより形成され、上部構成受便部と下部構成受便部とは上部構成受便部の下縁と下部構成受便部の上縁との重合部分における左右両側部分を枢着軸により枢着するとともに前記上部構成受便部と下部構成受便部との背面を締付調節ねじによりねじ止めしたことを特徴としたので、受便器本体は、下部構成受便部に対して上部構成受便部を枢着軸を中心に前後方向に移動することにより人体の大きさに合わせて調整を行う。
【００５２】
また、本発明の請求項４に記載の発明は、請求項１又は２に記載の吸引洗浄受弁装置において、受便器本体には当接部を排泄部周辺に当接させて保持するアームハンドルが取り付けられ、該アームハンドルの先端には排出流路と洗浄用流路の切換え部の切換え操作スイッチ及び吸引機構の操作スイッチが設けられていることを特徴とするので、ハンドルアームを握って受便器本体を所定の部位に押し当てることができて操作が容易であり、また、洗い流し流路と洗浄流路の切換え部の切換え操作及び吸引機構の操作をアームハンドルに設けた操作スイッチで行うことができる。
【００５３】
また、本発明の請求項５に記載の発明は、請求項１〜３に記載の吸引洗浄受便装置において、便受部の表面には排出口方向に向かう多数の突条が形成されていることを特徴とするので、該受便部上の排泄物を洗い流し液等により排出口側により確実に流すことができる。
【００５４】
また、本発明の請求項６に記載の発明は、排泄部を含む部位に当接する受便器本体と、該受便器本体からホースを介して排泄物を吸引排出する吸引機構と、排泄部を洗浄するために前記受便器本体に水、温水その他の洗浄液を供給する洗浄液供給機構とを備えた吸引洗浄受便装置であって、吸引機構は、前記受便器本体にホースを介して接続された密閉開閉蓋を有する汚物タンクと該汚物タンク内を減圧する吸引パイプとを備え、該吸引パイプによって吸引される汚物タンク内の空気を洗浄液供給機構における給液タンク内の液中に気泡状に流出させて臭気を減殺し、給液タンクに形成した排気口から排気するように構成したことを特徴とするので、ホースを介して吸引排出された排泄物は汚物タンク内に投入されるとともに、タンク内上部に接続されている吸引パイプからは臭気を伴った空気が吸引されるが、この空気を洗浄液供給機構における給液タンク内の液中に気泡状に流出させて臭気を減殺し、給液タンクに形成した排気口から排気するようにしたから、周辺への臭気の発散を少なくすることができる。
【００５５】
また、本発明の請求項７に記載の発明は、請求項１〜６の何れかの吸引洗浄受便装置において、受便器本体の受便部に便等の排泄物のを有無を検知可能にセンサーを設け、該センサーからの検知信号により吸引機構の吸引モータを駆動可能に設けるとともに給液タンク内のポンプを駆動し、洗浄水を給水可能としたことを特徴とするので、受便器本体の受便部に便等の排泄物のを有無をセンサーにより検知可能に設け、該センサーからの検知信号により吸引機構の吸引モータを駆動させて排泄物を汚物タンク内に吸引することができ、しかも、給液タンク内のポンプを駆動し、洗浄水を自動的に給水することができる。
【図面の簡単な説明】
【図１】図１は本発明の吸引洗浄受便装置の一実施形態における受便器本体の全体構成を示す拡大断面図である。
【図２】同じく図２は正面図である。
【図３】同じく図３は図２のＢ−Ｂ拡大断面図である。
【図４】同じく図３のＣ−Ｃ拡大断面図である。
【図５】同じく図５は本実施形態で使用する空気導入路の空気吸入部において外気を吸入するのに使用する減圧自動調整弁の断面図である。
【図６】同じく図６は本実施形態を形成する吸引機構と洗浄液供給機構との一例を示す一部切欠正面図である。
【図７】図７は同じく平面図である。
【図８】図８は同じく側面図である。
【図９】図９は同じく本発明の吸引洗浄受便装置の一実施形態の使用状態を示す斜視図である。
【符号の説明】
１　　　受便器本体
２　　　当接部
３　　　ホース
４　　　吸引機構
５　　　供給ホース
６　　　洗浄液供給機構
７　　　給液口
８　　　受便部
９　　　排出用流路
１０　　洗浄用流路
１１　　切換え部
１２　　排出口
１４　　空気吸入部
１５　　減圧自動調整弁
１６　　空気導入路
１７　　アームハンドル
Ｕ　　　吸引洗浄受便装置
Ｈ　　　人体
ＳＷ１　切換え操作スイッチ
ＳＷ２　操作スイッチ
Ｗ　　　洗浄液
Ｗ１　　洗い流し液
Ｗ２　　洗浄済液
【図１】
2004105506.tif 000003
【図２】
2004105506.tif 000004
【図３】
2004105506.tif 000005
【図４】
2004105506.tif 000006
【図５】
2004105506.tif 000007
【図６】
2004105506.tif 000008
【図７】
2004105506.tif 000009
【図８】
2004105506.tif 000010
【図９】
2004105506.tif 000011